【手続補正書】
【提出日】令和3年9月24日(2021.9.24)
【手続補正１】
【補正対象書類名】明細書
【補正対象項目名】００２０
【補正方法】変更
【補正の内容】
【００２０】
次に、図２を参照して、インクジェット記録装置６００において印字ヘッド２をヘッド洗浄ユニット４にセットした状態を説明する。印字ヘッド２は、ヘッドカバー１７が取り外された状態で、印字ヘッド２の先端からヘッド洗浄ユニット４の印字ヘッド挿入部６２に挿入されている。そして、印字ヘッド２は、印字ヘッド固定部６７と固定ノブ１９が勘合することにより印字ヘッド２がヘッド洗浄ユニット４に固定されて、取り付けられている。本実施例におけるインクジェット記録装置６００は、このように印字ヘッド２をヘッド洗浄ユニット４にセットすることで、印字ヘッド２を洗浄することが可能となる。
【手続補正２】
【補正対象書類名】明細書
【補正対象項目名】００２６
【補正方法】変更
【補正の内容】
【００２６】
次に、本実施例におけるインクジェット記録装置６００のインク回収経路について説明する。図３において、ガター２５は、導管（印字ヘッド用）５内を通る経路８１１を介してインクジェット記録装置本体１内に配置されているインク中に混入している異物を除去するフィルタ（回収用）４０と接続されており、フィルタ（回収用）４０は、経路８１２を介して経路の開閉を行う電磁弁（回収用）５０に接続されている。
【手続補正３】
【補正対象書類名】明細書
【補正対象項目名】００３４
【補正方法】変更
【補正の内容】
【００３４】
図４（ａ）において、印字ヘッド２は、ヘッドベース１６と、インクジェット記録装置本体１と印字ヘッド２を接続した導管（印字ヘッド用）５と、ヘッドベース１６に設置された切替弁２６（不図示）を保護する目的で組み付けられた保護カバー１８と、印字に使用するインク粒子が通過するための印字用開口部１７Ａを形成しており、固定ノブ１９により保護カバー１８に組み付けられたヘッドカバー１７とを備えている。このような、ヘッドカバー１７が組み付けられた状態であれば、ヘッドベース１６とヘッドカバー１７で囲われた空間は、メンテナンス時の衝撃等から保護される。このヘッドカバー１７で囲われた部品については、日常作業する作業員がメンテナンスする空間となっており、また、ヘッドベース１６と保護カバー１８で囲まれた内部エリアが、いわゆるサービス員がメンテナンスするエリアとなっている。
【手続補正４】
【補正対象書類名】明細書
【補正対象項目名】００４１
【補正方法】変更
【補正の内容】
【００４１】
そして更に、洗浄蓋ブロック７７には、印字ヘッド２に向けてヘッド洗浄用の溶剤６９Ｂを噴出させるためのヘッド洗浄用ノズル７１と、ヘッド洗浄後に溶剤６９Ｂで濡れた印字ヘッド２を乾燥させるための乾燥用エアを吹き掛けるためのヘッド乾燥用エアノズル７２とが、ノズル固定板７５とノズル固定ネジ７６によって組み付けられている。ヘッド洗浄用ノズル７１には、液ノズル固定用溝部７１Ｄが形成されており、この液ノズル固定用溝部７１Ｄにノズル固定板７５が入り込むようにしたことで、ヘッド洗浄用ノズル７１を組み付けし易くしている。また、同様に、ヘッド乾燥用エアノズル７２には、エアノズル固定用溝部７２Ｄが形成されており、このエアノズル固定用溝部７２Ｄにノズル固定板７５が入り込むようにしたことで、ヘッド乾燥用エアノズル７２を組み付けし易くしている。
【手続補正５】
【補正対象書類名】明細書
【補正対象項目名】００４２
【補正方法】変更
【補正の内容】
【００４２】
このヘッド洗浄用ノズル７１は、円柱状に形成された液ノズル外形部７１Ｆと、印字ヘッド２がヘッド洗浄ユニット４にセットされた場合にノズル２１からガター２５の方向に伸びるようにヘッド洗浄用ノズル７１の内部に形成した液ノズル流路部７１Ａを有している。さらに、ヘッド洗浄用ノズル７１は、液ノズル流路部７１Ａを介して溶剤６９Ｂがノズル２１を狙うように、すなわち、ノズル２１に当たるような角度で形成された、溶剤６９Ｂを噴出させるための液ノズル噴出穴Ａ部７１Ｂと、液ノズル流路部７１Ａを介して溶剤６９Ｂが偏向電極２４を狙うように、すなわち、偏向電極２４に当たるような角度で形成された、溶剤６９Ｂを噴出させるための液ノズル噴出穴Ｂ部７１Ｃと、液ノズル流路部７１Ａを介して溶剤６９Ｂが帯電電極２３を狙うように、すなわち、帯電電極２３に当たるような角度で形成された、溶剤６９Ｂを噴出させるための液ノズル噴出穴Ｃ部７１Ｈ（不図示）と、液ノズル噴出穴Ａ部７１Ｂと液ノズル噴出穴Ｂ部７１Ｃと液ノズル噴出穴Ｃ部７１Ｈ（不図示）を加工し易いように液ノズル外形部７１Ｆの一部を平面上に加工して製作された液ノズル平面部７１Ｇとを形成している。
【手続補正６】
【補正対象書類名】明細書
【補正対象項目名】００４８
【補正方法】変更
【補正の内容】
【００４８】
そして、ヘッド洗浄ユニット４は、洗浄蓋ブロック７７の下部に、ヘッド洗浄時に印字ヘッド２を収容するためのヘッド洗浄槽７３を備えている。ヘッド洗浄槽７３は、ヘッド洗浄用ノズル７１から噴出した溶剤６９Ｂが周囲に飛び散らないように形成した洗浄槽側壁部７３Ａと、洗浄槽側壁部７３Ａの上部に洗浄槽上端部７３Ｆを形成している。洗浄槽上端部７３Ｆは、洗浄蓋ブロック７７の下部に形成した洗浄蓋取付溝部７７Ａと勘合させることで、ヘッド洗浄槽７３と洗浄蓋ブロック７７を固定して密閉するようになっている。
【手続補正７】
【補正対象書類名】明細書
【補正対象項目名】００５０
【補正方法】変更
【補正の内容】
【００５０】
また、洗浄蓋ブロック７７は、洗浄蓋液流路７７Ｃと接続された洗浄蓋液継手取付部７７Ｄを形成しており、洗浄蓋液継手取付部７７Ｄには液継手７８が接続されている。また更に、液継手７８には、フッ素系の耐溶剤性のある材料で製作されたチューブ（洗浄用）８７４Ａが圧入などの方法で接続されており、チューブ（洗浄用）８７４Ａはヘッド洗浄用ノズル７１に供給される溶剤６９Ａに混入した異物を除去するためのファイナルフィルタ（ヘッド洗浄用）７４を取り付けている。そして、ファイナルフィルタ（ヘッド洗浄用）７４には、フッ素系の耐溶剤性のある材料で製作されたチューブ（洗浄用）８７３Ａが接続されており、チューブ（洗浄用）８７３Ａは、導管（ヘッド洗浄ユニット用）６の内部を通りインクジェット記録装置本体１内に配置されたフィルタ（ヘッド洗浄用）４４に接続されている。
【手続補正８】
【補正対象書類名】明細書
【補正対象項目名】００５３
【補正方法】変更
【補正の内容】
【００５３】
また、洗浄蓋ブロック７７は、下部に円筒状に形成された洗浄槽ボトル取付部７３Ｅと、洗浄槽ボトル取付部７３Ｅの内側に形成されてヘッド洗浄槽７３の内部と接続された洗浄槽液流出筒部７３Ｃとを備えている。そして、洗浄槽液流出筒部７３Ｃの下端部には、下に垂れる溶剤６９Ｂが一カ所に集中し易いように洗浄槽液流出斜め端部７３Ｄを形成している。
【手続補正９】
【補正対象書類名】明細書
【補正対象項目名】００５８
【補正方法】変更
【補正の内容】
【００５８】
ヘッド洗浄用ノズル７１に供給された溶剤６９Ａは、矢印Ｂ（液ノズル噴出穴Ａ部７１Ｂからノズル２１を狙って溶剤６９Ｂを噴出させる方向）及び矢印Ｃ（液ノズル噴出穴Ｂ部７１Ｃから偏向電極２４を狙って溶剤６９Ｂを噴出させる方向）で示す方向に溶剤６９Ｂとして噴出させて、印字ヘッド２に組み付けられたノズル２１、帯電電極２３、偏向電極２４などの構成部品に溶剤６９Ｂを吹きかけて、インクジェット記録装置６００の稼働中やメンテナンス時に付着したインク５９Ａによる汚れを洗浄することができる。そして、組み付けられたノズル２１、帯電電極２３、偏向電極２４などの構成部品に吹きかけられた溶剤６９Ｂは、重力によって矢印Ｄ及び矢印Ｅに示す方向に垂れて流れていき、印字ヘッド２をヘッド洗浄ユニット４にセットした状態においては偏向電極２４よりも下部に配置されたガター２５を、溶剤６９Ｂによって洗浄することができる。
【手続補正１０】
【補正対象書類名】明細書
【補正対象項目名】００５９
【補正方法】変更
【補正の内容】
【００５９】
また、ヘッド洗浄処理においては、印字ヘッド２に配置されたノズル２１、帯電電極２３、偏向電極２４、ガター２５などの構成部品を洗浄した溶剤６９Ｂは、矢印Ｆ及び矢印Ｇ、矢印Ｈに示す向きに垂れ落ちていき、ヘッド洗浄ユニット４の下部に設置された洗浄液用ボトル６１に流入して、洗浄液６９Ｃとして下部に溜められるようにしている。
【手続補正１１】
【補正対象書類名】明細書
【補正対象項目名】００６１
【補正方法】変更
【補正の内容】
【００６１】
また更に、インクジェット記録装置６００のヘッド洗浄処理が行われている状態においては、ポンプ（回収用）３４を稼働して電磁弁（回収用）５０が通電されて流路を開放することにより、矢印Ｋで示した溶剤６９Ｂの吸引流れ方向で示すように、ヘッド洗浄用ノズル７１から噴出されて矢印Ｄ及び矢印Ｅの方向に垂れてきた溶剤６９Ｂの一部が、ガター２５に形成されたガター吐出口２５Ａから吸引されて主インク容器３１に回収されるようになっている。このようにヘッド洗浄処理においては、ガター２５の内部及び、経路（インク回収用）８１１〜８１４についても溶剤６９Ｂで洗浄することができる。
【手続補正１２】
【補正対象書類名】明細書
【補正対象項目名】００６３
【補正方法】変更
【補正の内容】
【００６３】
図１２においては、インクジェット記録装置６００は、ヘッド洗浄処理にてヘッド乾燥用エアノズル７２からエアを噴出させて印字ヘッド２の乾燥を実行している。ヘッド洗浄処理のヘッド乾燥用エアノズル７２からエアの噴出が行われている状態においては、ポンプ（乾燥エア供給用）３７を稼働して電磁弁（乾燥エア供給用）５５が通電されて流路を開放することにより、矢印Ｍ（エアノズル噴出穴Ａ部７２Ｂから帯電電極２３の間の隙間を狙ってエアを噴出させる方向）及び矢印Ｎ（エアノズル噴出穴Ｂ部７２Ｃから偏向電極２４を狙ってエアを噴出させる方向）の方向に、ヘッド乾燥用エアノズル７２からエアを噴出させて、ヘッド洗浄処理により溶剤６９Ｂで濡れた印字ヘッド２の乾燥時間を短縮することができる。
【手続補正１３】
【補正対象書類名】明細書
【補正対象項目名】００７６
【補正方法】変更
【補正の内容】
【００７６】
ステップＳ９３１は、作業者が、タッチパネル式の操作表示部８にある「運転開始」ボタンを押すことを示している。
【手続補正１４】
【補正対象書類名】明細書
【補正対象項目名】００９７
【補正方法】変更
【補正の内容】
【００９７】
そして、インクジェット記録装置６２０のヘッド洗浄ユニット４には、インクジェット記録装置７００の印字ヘッド５０２がセットされている。印字ヘッド５０２は、ヘッドカバー５１７が取り外された状態で、印字ヘッド５０２の先端からヘッド洗浄ユニット４の印字ヘッド挿入部６２に挿入されている。そして、印字ヘッド５０２は、印字ヘッド固定部６７と固定ノブ５１９が勘合することにより印字ヘッド５０２がヘッド洗浄ユニット４に固定されて、取り付けられている。この状態で、インクジェット記録装置６２０の操作表示部２０８を操作するか、ヘッド洗浄ユニット４の開始ボタン６３を押すことで、ヘッド洗浄の制御を実施することができる。
【手続補正１５】
【補正対象書類名】特許請求の範囲
【補正対象項目名】全文
【補正方法】変更
【補正の内容】
【特許請求の範囲】
【請求項１】
本体部と印字ヘッド部を有するインクジェット記録装置であって、
前記本体部は、印字対象物に印字をするためのインクが収容されるインク容器と、溶剤が収容される溶剤容器を有し、
前記印字ヘッド部は、前記インク容器に接続されて加圧供給されたインクが吐出されるノズルと、前記ノズルから吐出されたインク粒子を帯電させる帯電電極と、前記帯電電極で帯電されたインク粒子を偏向する偏向電極と、印字に使用されないインクを回収するガターを有し、
さらに、前記印字ヘッド部を装着可能に構成され、前記本体部と接続されたヘッド装着ユニットを有し、
前記ヘッド装着ユニットは、下部に、前記印字ヘッド部を洗浄した廃液を回収する回収容器が装着可能であることを特徴とするインクジェット記録装置。
【請求項２】
請求項１に記載のインクジェット記録装置であって、
前記ヘッド装着ユニットに前記印字ヘッド部を装着した状態で、吸引動作または洗浄動作を実施することを特徴とするインクジェット記録装置。
【請求項３】
請求項１に記載のインクジェット記録装置であって、
前記ヘッド装着ユニットに前記印字ヘッド部を装着した状態で、前記印字ヘッド部の洗浄および乾燥の少なくとも一方を実施することを特徴とするインクジェット記録装置。
【請求項４】
請求項１に記載のインクジェット記録装置であって、
前記ヘッド装着ユニットは、前記本体部の側壁に着脱可能に取り付け可能であることを特徴とするインクジェット記録装置。
【請求項５】
請求項１に記載のインクジェット記録装置であって、
前記ヘッド装着ユニットは、作業者に前記印字ヘッド部の洗浄の状態を認識させるための表示部を備えることを特徴とするインクジェット記録装置。
【請求項６】
請求項５に記載のインクジェット記録装置であって、
前記表示部は、前記ヘッド装着ユニットに前記印字ヘッド部が装着されて洗浄されているときに、洗浄中であることを作業者に認識させることが可能であることを特徴とするインクジェット記録装置。
【請求項７】
請求項５に記載のインクジェット記録装置であって、
前記表示部は、前記印字ヘッド部の洗浄に異常があった場合にアラームを表示することを特徴とするインクジェット記録装置。
【請求項８】
請求項５に記載のインクジェット記録装置であって、
前記表示部は、前記回収容器が前記ヘッド装着ユニットに装着されているか否かについての表示を行うことを特徴とするインクジェット記録装置。
【請求項９】
請求項５に記載のインクジェット記録装置であって、
前記本体部は、操作表示部を備え、
前記表示部と前記操作表示部は、前記回収容器が前記ヘッド装着ユニットに装着されているか否かについての表示を行うことを特徴とするインクジェット記録装置。
【請求項１０】
請求項１に記載のインクジェット記録装置であって、
前記ヘッド装着ユニットの上部に前記印字ヘッド部の先端を装着する差し込み口が形成されていることを特徴とするインクジェット記録装置。
【請求項１１】
請求項１に記載のインクジェット記録装置であって、
前記印字ヘッド部のノズルから溶剤を噴出して前記印字ヘッド部のインク経路内を洗浄し、前記回収容器で廃液を回収することを特徴とするインクジェット記録装置。
【請求項１２】
印字ヘッドを洗浄するヘッド洗浄装置であって、
前記印字ヘッドを装着するヘッド装着部と、
洗浄液を噴射する液ノズルを有し、
前記液ノズルは、前記印字ヘッドを洗浄するための洗浄液が収容されたタンクと配管を通じて接続されており、前記タンク内の洗浄液が、前記配管を通じて前記液ノズルに供給され、前記ヘッド装着部の内部で前記洗浄液を噴射し前記印字ヘッドを洗浄することを特徴とするヘッド洗浄装置。
【請求項１３】
請求項１２に記載のヘッド洗浄装置であって、
前記印字ヘッドの洗浄を開始させるためのスタートスイッチを備え、前記スタートスイッチをオンにすることによって洗浄を開始することを特徴とするヘッド洗浄装置。
【請求項１４】
請求項１２に記載のヘッド洗浄装置であって、
前記ヘッド装着部の下部に、洗浄液を回収する回収容器が装着可能であることを特徴とするヘッド洗浄装置。
【請求項１５】
請求項１２に記載のヘッド洗浄装置であって、
前記ヘッド装着部の内部にエアーを噴射するエアーノズルを有し、前記ヘッド装着部に装着された前記印字ヘッドに向けて前記エアーノズルからエアーを噴射するように構成されていることを特徴とするヘッド洗浄装置。
【手続補正１６】
【補正対象書類名】図面
【補正対象項目名】図４
【補正方法】変更
【補正の内容】
【図４】
2020049786.tif 000001